(57)【要約】【課題】少なくとも既存梁構造体を再利用して工期の短縮と工費の削減を図ることができるとともに、作業中にジャッキにて支持する重量を低減して各作業の難易度を低下させることができ、床の高さの変更を正確且つ安全に実施することができる既存建物の床高さ変更方法を提供する。【解決手段】既存梁構造体２０に支持された既存床構造体３０の少なくとも一部を撤去する床構造体撤去工程と、床構造体撤去工程の実行後、既存床構造体３０の少なくとも一部を撤去した既存梁構造体２０を既存建物Ｔから切り離して高さ方向で移動させ、移動後の高さで既存梁構造体２０を既存建物Ｔに再固定する梁構造体移動工程と、梁構造体移動工程の実行後、既存床構造体３０の撤去部分に新設床構造体４０を構築して既存梁構造体２０に支持させる床構造体新設工程と、を備える。【選択図】図４
2018119274.tif 000002
【特許請求の範囲】
【請求項１】
複数の梁を組み付けた既存梁構造体にて既存床構造体が支持されている既存建物の床高さ変更方法であって、
前記既存梁構造体に支持された前記既存床構造体の少なくとも一部を撤去する床構造体撤去工程と、
前記床構造体撤去工程の実行後、前記既存床構造体の少なくとも一部を撤去した前記既存梁構造体を既存建物から切り離して高さ方向で移動させ、移動後の高さで前記既存梁構造体を既存建物に再固定する梁構造体移動工程と、
前記梁構造体移動工程の実行後、前記既存床構造体の撤去部分に新設床構造体を構築して前記既存梁構造体に支持させる床構造体新設工程と、を備える既存建物の床高さ変更方法。
【請求項２】
前記床構造体撤去工程において、既存柱にて接続された複数階分の前記既存梁構造体に支持された前記既存床構造体の少なくとも一部を撤去し、
前記梁構造体移動工程において、支持対象の前記既存床構造体の少なくとも一部を撤去した複数階分の前記既存梁構造体を、既存柱にて接続された状態のままで、既存建物から纏めて切り離して高さ方向で移動させる請求項１記載の既存建物の床高さ変更方法。
【請求項３】
前記床構造体新設工程において、前記新設床構造体を、前記既存床構造体よりも軽量の床構造体とする請求項１又は２記載の既存建物の床高さ変更方法。
【発明の詳細な説明】
【技術分野】
【０００１】
本発明は、複数の梁を組み付けた既存梁構造体にて既存床構造体が支持されている既存建物の床高さ変更方法に関する。
【背景技術】
【０００２】
既存建物を別の用途で使用する場合等には、その用途等に応じて床の高さを変更するのが好ましい場合がある。特許文献１には、複数の梁を組み付けた既存梁構造体にて既存床構造体が支持されている既存建物において、既存梁構造体及びそれに支持された既存床構造体を一体的に既存建物から切断分離し、油圧式等のジャッキを用いて高さ方向で移動させた上で、既存建物に再固定する既存建物の床高さ変更方法が提案されている。
この既存建物の床高さ変更方法は、既存梁構造体及び既存床構造体をそのまま再利用することができ、既存梁構造体及び既存床構造体の解体作業や新設梁構造体及び新設床構造体の構築作業を簡略化して、工期の短縮と工費の削減を図ることができる。
【先行技術文献】
【特許文献】
【０００３】
【特許文献１】特開２０１５−０６３７９３号公報
【発明の概要】
【発明が解決しようとする課題】
【０００４】
上記従来の床高さ変更方法では、既存床構造体を支持した状態のままの既存梁構造体を油圧ジャッキにて適切に支持しながら既存建物から切断分離する作業、既存床構造体を支持した状態のままの既存梁構造体をジャッキにて適切に支持しながら高さ方向で移動させる作業、既存床構造体を支持した状態のままの既存梁構造体を既存建物に適切に再固定する作業が必要となる。しかしながら、既存床構造体を支持した状態のままの既存梁構造体の重量はそれなりに大きいので、各作業中にジャッキにて支持すべき総重量が大きくなり、各作業の難易度が非常に高くなる。よって、既存建物の床の高さの変更を正確且つ安全に実施するのが難しい不都合がある。
【０００５】
この実情に鑑み、本発明の主たる課題は、少なくとも既存梁構造体を再利用して工期の短縮と工費の削減を図ることができるとともに、作業中にジャッキにて支持すべき総重量を低減して各作業の難易度を低下させることができ、床の高さの変更を正確且つ安全に実施することができる既存建物の床高さ変更方法を提供する点にある。
【課題を解決するための手段】
【０００６】
本発明の第１特徴構成は、複数の梁を組み付けた既存梁構造体にて既存床構造体が支持されている既存建物の床高さ変更方法であって、
前記既存梁構造体に支持された前記既存床構造体の少なくとも一部を撤去する床構造体撤去工程と、
前記床構造体撤去工程の実行後、前記既存床構造体の少なくとも一部を撤去した前記既存梁構造体を既存建物から切り離して高さ方向で移動させ、移動後の高さで前記既存梁構造体を既存建物に再固定する梁構造体移動工程と、
前記梁構造体移動工程の実行後、前記既存床構造体の撤去部分に新設床構造体を構築して前記既存梁構造体に支持させる床構造体新設工程と、を備える点にある。
【０００７】
本構成によれば、床構造体撤去工程において、既存梁構造体に支持された既存床構造体の少なくとも一部を撤去して既存梁構造体の重量を低減した上で、後続の梁構造体移動工程において、重量を低減した既存梁構造体を既存建物から切り離して高さ方向で移動させ、移動後の高さで再固定する。その後、床構造体新設工程において、既存床構造体の撤去部分に新設床構造体を構築して既存梁構造体に支持させる。
【０００８】
そのため、少なくとも既存梁構造体を再利用して工期の短縮と工費の削減を図ることができる。しかも、床構造体撤去工程にて既存梁構造体の重量を低減することで、梁構造体移動工程の各作業中にジャッキにて支持すべき総重量を低減することができる。よって、梁構造体移動工程の各作業の難易度を低下させることができ、床の高さの変更を正確且つ安全に実施することができる。
【０００９】
本発明の第２特徴構成は、前記床構造体撤去工程において、既存柱にて接続された複数階分の前記既存梁構造体に支持された前記既存床構造体の少なくとも一部を撤去し、
前記梁構造体移動工程において、支持対象の前記既存床構造体の少なくとも一部を撤去した複数階分の前記既存梁構造体を、既存柱にて接続された状態のままで、既存建物から纏めて切り離して高さ方向で移動させる点にある。
【００１０】
本構成によれば、梁構造体移動工程において、複数階分の既存梁構造体の高さ方向での移動を纏めて一括で行うので、複数階分の床の高さの変更を短工期で実現することができる。
しかも、床構造体撤去工程において、複数階分の既存梁構造体に支持された複数階分の既存床構造体の少なくとも一部を撤去するので、既存床構造体の撤去範囲の選択の幅が広く、梁構造体移動工程の各作業中にジャッキにて支持すべき総重量を、複数階分の既存梁構造体を纏めて一括で移動させるのに適した重量に調整することができる。よって、複数階分の床の高さ変更を正確且つ安全に実施することができる。
【００１１】
本発明の第３特徴構成は、前記床構造体新設工程において、前記新設床構造体を、前記既存床構造体よりも軽量の床構造体とする点にある。
【００１２】
本構成によれば、新設床構造体が既存床構造体よりも軽量であるので、再固定後の既存梁構造体への荷重が小さくなり、既存梁構造体の再固定構造の簡素化を図ることが可能となる。さらに、高さ変更後の既存建物全体の固定荷重（重量）を小さくすることができ、既存建物の耐震性を向上させることができる。
【図面の簡単な説明】
【００１３】
【図１】床高さ変更前の既存建物を示す図
【図２】既存建物の床高さ変更方法の第１実施形態を示す図
【図３】既存建物の床高さ変更方法の第１実施形態を示す図
【図４】既存建物の床高さ変更方法の第１実施形態を示す図
【図５】既存建物の床高さ変更方法の第２実施形態を示す図
【図６】既存建物の床高さ変更方法の第２実施形態を示す図
【図７】既存建物の床高さ変更方法の第２実施形態を示す図
【発明を実施するための形態】
【００１４】
本発明に係る既存建物の床高さ変更方法の実施形態を図面に基づいて説明する。
〔第１実施形態〕
図１は床高さ変更前の既存建物Ｔの一部を示している。同図１に示すように、既存建物Ｔは、複数本の既存柱１０どうしの間に架設された既存梁構造体２０にて既存床構造体３０が支持された構造となっている。
【００１５】
既存柱１０は、鉄骨造（Ｓ造）や鉄筋コンクリート造（ＲＣ造）、鉄骨鉄筋コンクリート造（ＳＲＣ造）、鋼管にコンクリートを充填した充填鋼管コンクリート造（ＣＦＴ造）、それらの複合構造等の各種の構造を適宜に採用することができ、本実施形態では、例えば、ＣＦＴ造にて構成されている。
【００１６】
既存梁構造体２０は、複数の梁を組み付けて構成されている。既存梁構造体２０は、Ｓ造やＲＣ造、ＳＲＣ造、それらの複合構造等の各種の構造を適宜に採用することができる。本実施形態では、既存梁構造体２０は、複数の既存柱１０の外周面に対して両端部が接合された鉄骨製の既存梁２０Ａを含み、図示は省略するが、図１中の奥行き方向で間隔を空けて並行する他の既存梁２０Ａや複数の既存梁２０Ａどうしの間に亘らせた鉄骨製の既存の小梁等を組み付けて構成されている。
【００１７】
既存床構造体３０は、既存梁構造体２０にて下方から支持されている。既存床構造体３０は、金属や鉄筋コンクリートなどの各種の材料にて構成することができ、本実施形態では、例えば、鉄筋コンクリートにて構成されている。
【００１８】
そして、本発明に係る床高さ変更方法は、既存建物Ｔの床高さ変更エリアＰにおいて、図２〜図４に示すように、後述する「床構造体撤去工程」、「梁構造体移動工程」、「床構造体新設工程」を順番に実行することで、図４に示すように、既存建物Ｔの床の高さを既存の高さＨ１から新たな高さＨ２に変更する。この高さ変更方法は、例えば、既存建物Ｔの全体又はその一部の用途等を変更する場合等に、変更後の用途等に応じて床の高さを変更するのに好適に用いることができる。以下、床高さ変更方法の第１実施形態の各工程について説明を加える。
【００１９】
なお、図２は、床構造撤去工程において既存床構造体３０を撤去した状態を示し、図３は、床構造体撤去工程の実行後、梁構造体移動工程において既存梁構造体２０を既存建物Ｔから切り離して高さ方向で移動させた状態を示している。図４は、梁構造体移動工程の実行後、床構造体新設工程において既存床構造体３０の撤去部分に新設床構造体４０を構築して既存梁構造体２０に支持させた状態を示している。
【００２０】
（床構造体撤去工程）
この床構造体撤去工程では、図２に示すように、既存建物Ｔの床高さ変更エリアＰにおいて、既存梁構造体２０に支持された既存床構造体３０の少なくとも一部を撤去する。
このように床高さ変更エリアＰの既存床構造体３０の少なくとも一部を撤去することで、撤去部分の重量分だけ既存梁構造体２０を軽量化することができる。
【００２１】
図示の例では、既存建物Ｔの床高さ変更エリアＰにおいて、移動対象の既存梁構造体２０に支持された既存床構造体３０の全てを撤去した場合を示しているが、既存床構造体３０の撤去範囲は、後続の梁構造体移動工程にて使用する油圧式のジャッキ５２の設置状況（個数や最大揚力等）、作業員の配置状況、後続の工程の作業性等に基づいて適宜に設定することができる。
【００２２】
（梁構造体移動工程）
床構造体撤去工程に続く梁構造体移動工程では、図２、図３に示すように、既存床構造体３０の少なくとも一部を撤去した既存梁構造体２０を、既存建物Ｔから切り離して高さ方向で移動させ、移動後の高さで既存建物Ｔに再固定する。
【００２３】
具体的には、まず、図２に示すように、床高さ変更エリアＰにおける既存梁構造体２０の外周側の下方に仮設支柱５１及びそれを支持する油圧式のジャッキ５２を設置し、下階側の床等を反力支点として、ジャッキ５２の揚力を仮設支柱５１を通じて既存梁構造体２０に作用させる状態で、既存梁構造体２０を下方から支持する。そして、その支持状態で、既存梁構造体２０の外周部と既存柱１０との接合部分を切断し、既存柱１０から既存梁構造体２０を切り離す。
【００２４】
次に、図３に示すように、ジャッキ５２を伸縮操作して既存梁構造体２０を高さ方向で移動させる。図示の例では、ジャッキ５２を縮めて既存梁構造体２０を高さ方向で下方に移動させる場合を例に挙げている。
【００２５】
そして、図４に示すように、高さ変更後の既存梁構造体２０の外周部をボルトや溶接等の適宜の接合手段Ａにて既存柱１０の外周面に接合し、既存梁構造体２０を既存建物Ｔに再固定する。
【００２６】
（床構造体新設工程）
梁構造体移動工程に続く床構造体新設工程では、図４に示すように、再固定後の既存梁構造体２０上の既存床構造体３０の撤去部分に、新設床構造体４０を構築して既存梁構造体２０に支持させる。新設床構造体４０は、金属や鉄筋コンクリートなどの各種の材料にて構成することができ、例えば、既存床構造体３０よりも軽量の床構造体とすることができる。本実施形態では、既存床構造体３０が鉄筋コンクリート製の床構造体であるのに対して、新設床構造体４０を、鉄筋コンクリート製の床構造体よりも軽量の金属製の床構造体（所謂、鋼製床）として構成する。
【００２７】
このようにして、既存建物Ｔの床の高さを既存の高さＨ１から新たな高さＨ２に変更する。この床高さ変更方法によれば、既存梁構造体２０を再利用して工期の短縮と工費の削減を図りながら、しかも、床構造体撤去工程での既存梁構造体２０の軽量化により、梁構造体移動工程の各作業中にジャッキ５２にて支持すべき総重量を低減し、各作業の難易度を低下させる形態で、既存建物Ｔの床の高さの変更を正確且つ安全に実施することができる。
【００２８】
〔第２実施形態〕
前述の第１実施形態では、既存建物Ｔにおける一つの階の床の高さを変更する場合を例に示したが、既存建物Ｔにおける既存柱１０にて接続された複数階分の床の高さを変更することもできる。
この第２実施形態では、図５〜図７に示すように、既存建物Ｔにおける図中の左右中央側の既存柱１０Ａで接続された複数階分（本例では二階分）の床の高さを変更する。以下、床高さ変更方法の第２実施形態の各工程について説明を加える。
【００２９】
なお、第１実施形態と同様の構成については、同符号を記す等により、その説明は省略する。また、便宜上、同図中において、中央側の既存柱１０Ａから外周側の既存柱１０Ｂに亘る一対の既存梁構造体２０を一つの既存梁構造体２１とし、それに支持された一対の既存床構造体３０及び一対の新設床構造体４０を一つの既存床構造体３１及び一つの新設床構造体４１として説明する。
また、図５は、床構造撤去工程において既存床構造体３１を撤去した状態を示し、図６は、床構造体撤去工程の実行後、梁構造体移動工程において既存梁構造体２１を既存建物Ｔから切り離して高さ方向で移動させた状態を示している。図７は、梁構造体移動工程の実行後、床構造体新設工程において既存床構造体３１の撤去部分に新設床構造体４１を構築して既存梁構造体２１に支持させた状態を示している。
【００３０】
（床構造体撤去工程）
この床構造体撤去工程では、図５に示すように、既存建物Ｔの床高さ変更エリアＰにおいて、既存柱１０Ａにて接続された複数階分の既存梁構造体２１に支持された複数階分の既存床構造体３１の少なくとも一部を撤去する。本実施形態では、例えば、下階側の既存梁構造体２１Ａに支持された既存床構造体３１Ａは撤去せず、上階側の既存梁構造体２１Ｂに支持された既存床構造体３１Ｂを撤去する。
【００３１】
このようにすることで、既存柱１０Ａにて接続された複数階分の既存梁構造体２１を軽量化し、その重量を、後続の梁構造体移動工程において複数階分の既存梁構造体２１を纏めて一括で移動させるのに適した重量に調整することができる。
また、複数階分の既存梁構造体２１の重心を下方に移動させて梁構造体移動工程で既存建物Ｔから切り離した状態での安定性を高めることや、既存建物Ｔから切り離した状態において、撤去せずに残した下階側の既存床構造体３１Ｂを反力支点にして上階側の既存梁構造体２１Ｂの適所を効率的に支持することが可能となる。
【００３２】
なお、場合によっては、これとは逆に、上階側の既存梁構造体２１Ｂに支持された既存床構造体３１Ｂは撤去せず、下階側の既存梁構造体２１Ａに支持された既存床構造体３１Ａを撤去したり、上階側及び下階側の既存梁構造体２１Ａ，２１Ｂに支持された上階側及び下階側の既存床構造体３１Ａ，３１Ｂをともに撤去してもよい。
【００３３】
（梁構造体移動工程）
床構造体撤去工程に続く梁構造体移動工程では、図６に示すように、既存床構造体３１の少なくとも一部を撤去した複数階分の既存梁構造体２１を、既存柱１０Ａで接続したままで既存建物Ｔから切り離して高さ方向で移動させ、移動後の高さで複数階分の既存梁構造体２１を既存建物Ｔに再固定する。
【００３４】
具体的には、まず、図５に示すように、床高さ変更エリアＰにおける下階側の既存梁構造体２１Ａの外周側の下方、及び、床高さ変更エリアＰにおける下階側の既存梁構造体２１Ａの中央側の下方（具体的には中央側の既存柱１０Ａの両脇の下方）に、仮設支柱５１及びそれを支持するジャッキ５２を設置する。また、床高さ変更エリアＰの上階側の既存梁構造体２１Ｂの外周側と、撤去せずに残した下階側の既存床構造体３１Ｂとの間にも仮設支柱５３を設置する。
そして、下階側の既存梁構造体２１Ａよりも下階側の床等を反力支点とし、ジャッキ５２の揚力を仮設支柱５１を通じて下階側の既存梁構造体２１Ａに作用させる状態で、複数階分の既存梁構造体２１を下方から支持する。
【００３５】
その後、その支持状態で、複数階分の既存梁構造体２１の外周部の既存柱１０Ｂとの接合部分を切断するとともに、中央側の既存柱１０Ａにおける下階側の既存梁構造体２１Ａよりも下方の部位１０ａ及び上階側の既存梁構造体２１Ｂよりも上方の部位１０ｂを切断除去し、複数階分の既存梁構造体２１を、中央側の既存柱１０Ａにて接続されたまま、既存建物Ｔから切り離す。なお、上階側の既存梁構造体２１Ｂの外周部は、仮設支柱５３により下方から支持されているので、既存柱１０Ｂから切り離された場合でも下方に撓むことはない。
【００３６】
次に、図６に示すように、ジャッキ５２を伸縮操作して、複数階分の既存梁構造体２１を、中央側の既存柱１０Ａに接続されたまま、まとめて一括で高さ方向で移動させる。図示の例では、ジャッキ５２を縮めて複数階分の既存梁構造体２１を高さ方向で下方に移動させる場合を例に挙げている。
【００３７】
そして、図７に示すように、高さ変更後の複数階分の既存梁構造体２１の外周部を、ボルトや溶接等の適宜の接合手段Ａにて外周側の既存柱１０Ｂの外周面に接合するととともに、中央側の既存柱１０Ａにおける下階側の既存梁構造体２１Ａよりも下方の切断部位を適宜の接合手段（図示省略）にて接合し、複数階分の既存梁構造体２１を既存建物Ｔに再固定する。
なお、中央側の既存柱１０Ａにおける上階側の既存梁構造体２１Ａよりも上方の切断部位は、当該階よりも上階側の支持状態や当該階の使用形態等の実情に応じて、再固定を行うか否かを適宜に選択すればよい。
【００３８】
（床構造体新設工程）
梁構造体移動工程に続く床構造体新設工程では、図７に示すように、複数階分の既存床構造体３１の撤去部分に、新設床構造体４１を構築して既存梁構造体２１に支持させる。このようにして、既存建物Ｔにおける図中の中央側の既存柱１０Ａで接続された複数階分（本例では二階分）の床の高さを変更する。この床高さ変更方法によれば、既存建物Ｔの複数階分の既存梁構造体２１の高さ方向での移動を纏めて一括で行うので、既存建物Ｔの複数階分の床の高さの変更を短工期で実現することができる。
【００３９】
〔別実施形態〕
（１）前述の第１実施形態では、床構造体撤去工程において、移動対象の既存梁構造体２０に支持された既存床構造体３０の全てを撤去する場合を例に示したが、例えば、移動対象の既存梁構造体２０に支持された既存床構造体３０の中央部のみを撤去し、既存床構造体３０の外周部は撤去せずに残すようにしてもよい。
このようにすれば、撤去せずに残した既存床構造体３０の外周部を、後続の梁構造体移動工程における既存建物Ｔから既存床構造体３０を切り離す作業や、移動後の高さで既存床構造体３０を既存建物Ｔに再固定する作業の作業床として利用し、これらの作業を効率的且つ安全に実施することができる。
また、これとは逆に、移動対象の既存梁構造体２０に支持された既存床構造体３０の外周部のみを撤去し、既存床構造体３０の中央部は撤去せずに残すようにしてもよい。
【００４０】
（２）同様に、前述の第２実施形態では、床構造体撤去工程において、上階側の既存梁構造体２１Ｂに支持された既存床構造体３１Ｂの全てを撤去する場合を例に示したが、例えば、上階側の既存梁構造体２１Ｂに支持された既存床構造体３１Ｂの中央部のみを撤去し、既存床構造体３０の外周部は撤去せずに残すようにしてもよい。
また、これとは逆に、上階側の既存梁構造体２１Ｂに支持された既存床構造体３１Ｂの外周部のみを撤去し、既存床構造体３０の中央部は撤去せずに残すようにしてもよい。
【００４１】
（３）前述の各実施形態では、新設床構造体４０を、既存床構造体３０よりも軽量の床構造体とする場合を例に示したが、既存床構造体３０よりも剛性や強度の高い床構造体としてもよい。
【００４２】
（４）本発明に係る高さ変更方法は、既存建物Ｔの全体又はその一部の用途を変更する場合に限らず、床の高さ変更を要する各種の場面で好適に用いることができる。
【符号の説明】
【００４３】
１０          既存柱
２０，２１    既存梁構造体
３０，３１    既存床構造体
４０，４１    新設床構造体
Ｔ            既存建物
【図１】
2018119274.tif 000003
【図２】
2018119274.tif 000004
【図３】
2018119274.tif 000005
【図４】
2018119274.tif 000006
【図５】
2018119274.tif 000007
【図６】
2018119274.tif 000008
【図７】
2018119274.tif 000009